(57)【特許請求の範囲】
【請求項１】
空気の吸込口（24,34）と吹出口（25,35）とが１つの側面に上下に形成されたケーシング（21,31）と、該ケーシング（21,31）内の上記吸込口（24,34）と上記吹出口（25,35）との間に収容されて上記ケーシング（21,31）内に上記吸込口（24,34）から上記吹出口（25,35）へ向かう内部空気流れ（f1,f2）を形成する送風ファン（22,32）とをそれぞれ有する一対の送風装置（20,30）を備え、
上記一対の送風装置（20,30）は、冷却室（1）の出入口（2）の幅方向の一端部と他端部とに互いの上記吸込口（24,34）と上記吹出口（35,25）とが対向するように設けられ、互いの間の通風空間（10a）に上記内部空気流れ（f1,f2）によって上記各吹出口（25,35）から対向する上記吸込口（34,24）へ向かう外部空気流れ（F1,F2）が形成される冷却室用エアカーテン装置であって、
上記送風ファン（22,32）は、上記各ケーシング（21,31）内に１つずつ収容され、上記吹出口（25）が吸込口（24）よりも上側に形成された上記ケーシング（21）内では空気を上向きに吹き出すように配置される一方、上記吹出口（35）が吸込口（34）よりも下側に形成された上記ケーシング（31）内では空気を下向きに吹き出すように配置され、
上記各送風装置（20,30）は、上記外部空気流れ（F1,F2）の風量が上記通風空間（10a）の上下方向の中央部から上方及び下方に向かってそれぞれ段階的に大きくなるように、上記各内部空気流れ（f1,f2）を流速の異なる複数の流れに分流する複数の第１分流板（51,52,61,62）を有し、
上記複数の第１分流板（51,52,61,62）は、それぞれ平板状に形成され、上記各内部空気流れ（f1,f2）を横断する方向に間隔を空けて配列され、
上記各送風ファン（22,32）と上記吹出口（25,35）との間に設けられた上記複数の第１分流板（51,52,61,62）は、互いの間に区画した複数の流路の流入口の流路断面積に対する流出口の流路断面積の比率が、上記各吹出口（25,35）から離れた流路ほど小さくなるような角度及び間隔で配列されている
ことを特徴とする冷却室用エアカーテン装置。
【請求項２】
空気の吸込口（24,34）と吹出口（25,35）とが１つの側面に上下に形成されたケーシング（21,31）と、該ケーシング（21,31）内の上記吸込口（24,34）と上記吹出口（25,35）との間に収容されて上記ケーシング（21,31）内に上記吸込口（24,34）から上記吹出口（25,35）へ向かう内部空気流れ（f1,f2）を形成する送風ファン（22,32）とをそれぞれ有する一対の送風装置（20,30）を備え、
上記一対の送風装置（20,30）は、冷却室（1）の出入口（2）の幅方向の一端部と他端部とに互いの上記吸込口（24,34）と上記吹出口（35,25）とが対向するように設けられ、互いの間の通風空間（10a）に上記内部空気流れ（f1,f2）によって上記各吹出口（25,35）から対向する上記吸込口（34,24）へ向かう外部空気流れ（F1,F2）が形成される冷却室用エアカーテン装置であって、
上記各送風装置（20,30）は、上記外部空気流れ（F1,F2）の風量が上記通風空間（10a）の上下方向の中央部から上方及び下方に向かってそれぞれ段階的に大きくなるように、上記各内部空気流れ（f1,f2）を流速の異なる複数の流れに分流する複数の第１分流板（51,52,61,62）を有し、
上記複数の第１分流板（51,52,61,62）は、それぞれ平板状に形成され、上記各内部空気流れ（f1,f2）を横断する方向に間隔を空けて配列され、
上記複数の第１分流板（51,52,61,62）の配列方向に延びるレール部材（58）と、上記各第１分流板（51,52,61,62）を上記レール部材（58）に対してスライド自在に且つ該レール部材（58）に直交する回転軸周りに回動自在に取り付ける取付部材（56,57）とを有し、上記各第１分流板（51,52,61,62）を支持する支持機構（55）を備えている
ことを特徴とする冷却室用エアカーテン装置。
【請求項３】
請求項１又は２において、
上記各吸込口（24,34）及び上記各吹出口（25,35）には、多数の通風孔が厚さ方向に貫通するように形成された多孔板（24a,25a,34a,35a）がそれぞれ設けられている
ことを特徴とする冷却室用エアカーテン装置。
【請求項４】
空気の吸込口（24,34）と吹出口（25,35）とが１つの側面に上下に形成されたケーシング（21,31）と、該ケーシング（21,31）内の上記吸込口（24,34）と上記吹出口（25,35）との間に収容されて上記ケーシング（21,31）内に上記吸込口（24,34）から上記吹出口（25,35）へ向かう内部空気流れ（f1,f2）を形成する送風ファン（22,32）とをそれぞれ有する一対の送風装置（20,30）を備え、
上記一対の送風装置（20,30）は、冷却室（1）の出入口（2）の幅方向の一端部と他端部とに互いの上記吸込口（24,34）と上記吹出口（35,25）とが対向するように設けられ、互いの間の通風空間（10a）に上記内部空気流れ（f1,f2）によって上記各吹出口（25,35）から対向する上記吸込口（34,24）へ向かう外部空気流れ（F1,F2）が形成される冷却室用エアカーテン装置であって、
上記各送風装置（20,30）は、上記外部空気流れ（F1,F2）の風量が上記通風空間（10a）の上下方向の中央部から上方及び下方に向かってそれぞれ段階的に大きくなるように、上記各内部空気流れ（f1,f2）を流速の異なる複数の流れに分流する複数の第１分流板（51,52,61,62）を有し、
上記複数の第１分流板（51,52,61,62）は、それぞれ平板状に形成され、上記各内部空気流れ（f1,f2）を横断する方向に間隔を空けて配列され、
上記各吸込口（24,34）及び上記各吹出口（25,35）には、多数の通風孔が厚さ方向に貫通するように形成された多孔板（24a,25a,34a,35a）がそれぞれ設けられ、
上記吸込口（24）の上側に形成された上記吹出口（25）に設けられた上記多孔板（25a）は、上下方向に複数に分割されると共に、上方の分割片ほど室外側へ傾けられ、
上記吸込口（34）の下側に形成された上記吹出口（35）に設けられた上記多孔板（35a）は、上下方向に複数に分割されると共に、下方の分割片ほど室内側へ傾けられている
ことを特徴とする冷却室用エアカーテン装置。
【請求項５】
請求項４において、
上記各吹出口（25,35）に設けられた上記多孔板（25a,35a）は、奥行方向の中央部が両端部に比べて上記ケーシング（21,31）の内部側に凹むＶ字形状に形成されている
ことを特徴とする冷却室用エアカーテン装置。
【請求項６】
空気の吸込口（24,34）と吹出口（25,35）とが１つの側面に上下に形成されたケーシング（21,31）と、該ケーシング（21,31）内の上記吸込口（24,34）と上記吹出口（25,35）との間に収容されて上記ケーシング（21,31）内に上記吸込口（24,34）から上記吹出口（25,35）へ向かう内部空気流れ（f1,f2）を形成する送風ファン（22,32）とをそれぞれ有する一対の送風装置（20,30）を備え、
上記一対の送風装置（20,30）は、冷却室（1）の出入口（2）の幅方向の一端部と他端部とに互いの上記吸込口（24,34）と上記吹出口（35,25）とが対向するように設けられ、互いの間の通風空間（10a）に上記内部空気流れ（f1,f2）によって上記各吹出口（25,35）から対向する上記吸込口（34,24）へ向かう外部空気流れ（F1,F2）が形成される冷却室用エアカーテン装置であって、
上記各送風装置（20,30）は、上記外部空気流れ（F1,F2）の風量が上記通風空間（10a）の上下方向の中央部から上方及び下方に向かってそれぞれ段階的に大きくなるように、上記各内部空気流れ（f1,f2）を流速の異なる複数の流れに分流する複数の第１分流板（51,52,61,62）を有し、
上記複数の第１分流板（51,52,61,62）は、それぞれ平板状に形成され、上記各内部空気流れ（f1,f2）を横断する方向に間隔を空けて配列され、
上記各送風ファン（22,32）は、上記吹出口（24,34）と平行に空気を吹き出すように設けられる一方、上記複数の第１分流板（51,61）は、少なくとも上記各送風ファン（22,32）と上記吹出口（25,35）との間に設けられ、
上記各送風ファン（22,32）の吹出側であって上記複数の第１分流板（51,61）との間には、該送風ファン（22,32）の吹き出し空気を下流側ほど上記吹出口（25,35）に近づくように整流する多数の空気通路を有する整流部材（27,37）が設けられている
ことを特徴とする冷却室用エアカーテン装置。
【請求項７】
請求項６において、
上記各整流部材（27,37）は、上記多数の空気通路の通路長さが、上記各ケーシング（21,31）の幅方向において上記通風空間（10a）側の空気通路ほど短くなるように形成されている
ことを特徴とする冷却室用エアカーテン装置。
【請求項８】
空気の吸込口（24,34）と吹出口（25,35）とが１つの側面に上下に形成されたケーシング（21,31）と、該ケーシング（21,31）内の上記吸込口（24,34）と上記吹出口（25,35）との間に収容されて上記ケーシング（21,31）内に上記吸込口（24,34）から上記吹出口（25,35）へ向かう内部空気流れ（f1,f2）を形成する送風ファン（22,32）とをそれぞれ有する一対の送風装置（20,30）を備え、
上記一対の送風装置（20,30）は、冷却室（1）の出入口（2）の幅方向の一端部と他端部とに互いの上記吸込口（24,34）と上記吹出口（35,25）とが対向するように設けられ、互いの間の通風空間（10a）に上記内部空気流れ（f1,f2）によって上記各吹出口（25,35）から対向する上記吸込口（34,24）へ向かう外部空気流れ（F1,F2）が形成される冷却室用エアカーテン装置であって、
上記各送風装置（20,30）は、
上記外部空気流れ（F1,F2）の風量が上記通風空間（10a）の上下方向の中央部から上方及び下方に向かってそれぞれ段階的に大きくなるように、上記各内部空気流れ（f1,f2）を流速の異なる複数の流れに分流する複数の第１分流板（51,52,61,62）と、
上記外部空気流れ（F1,F2）の流速が上記通風空間（10a）の奥行方向の中央部よりも両端部において遅くなるように、上記各内部空気流れ（f1,f2）を流速の異なる複数の流れに分流する複数の第２分流板（53,63）とを有している
ことを特徴とする冷却室用エアカーテン装置。
【請求項９】
空気の吸込口（24,34）と吹出口（25,35）とが１つの側面に上下に形成されたケーシング（21,31）と、該ケーシング（21,31）内の上記吸込口（24,34）と上記吹出口（25,35）との間に収容されて上記ケーシング（21,31）内に上記吸込口（24,34）から上記吹出口（25,35）へ向かう内部空気流れ（f1,f2）を形成する送風ファン（22,32）とをそれぞれ有する一対の送風装置（20,30）を備え、
上記一対の送風装置（20,30）は、冷却室（1）の出入口（2）の幅方向の一端部と他端部とに互いの上記吸込口（24,34）と上記吹出口（35,25）とが対向するように設けられ、互いの間の通風空間（10a）に上記内部空気流れ（f1,f2）によって上記各吹出口（25,35）から対向する上記吸込口（34,24）へ向かう外部空気流れ（F1,F2）が形成される冷却室用エアカーテン装置であって、
上記各送風装置（20,30）は、上記外部空気流れ（F1,F2）の風量が上記通風空間（10a）の上下方向の中央部から上方及び下方に向かってそれぞれ段階的に大きくなるように、上記各内部空気流れ（f1,f2）を流速の異なる複数の流れに分流する複数の第１分流板（51,52,61,62）を有し、
上記複数の第１分流板（51,52,61,62）は、それぞれ平板状に形成され、上記各内部空気流れ（f1,f2）を横断する方向に間隔を空けて配列され、
上記各吸込口（24,34）及び上記各吹出口（25,35）には、多数の通風孔が厚さ方向に貫通するように形成された多孔板（24a,25a,34a,35a）がそれぞれ設けられ、
上記各送風装置（20,30）の吹出口（25,35）に設けられた上記多孔板（25a,35a）の多数の通風孔は、該多孔板（25a,35a）の上下方向において上記送風ファン（22,32）側の一端から他端へ向かって外径が段階的に大きくなると共に、上記多孔板（25a,35a）における奥行方向の中央部よりも両端部において外径が小さくなるように形成されている
ことを特徴とする冷却室用エアカーテン装置。
【発明の詳細な説明】
【技術分野】
【０００１】
本発明は、冷凍庫や冷蔵庫等の冷却室の出入口に設けられて空気の出入りを遮断するための空気流れを形成する冷却室用エアカーテン装置に係るものである。
【背景技術】
【０００２】
従来より、例えば冷凍庫や冷蔵庫等の外部との温度差が大きい冷却室の出入口に、空気の出入りを遮断するためのエアカーテン装置が設けられている（例えば、下記特許文献１を参照）。
【０００３】
例えば、下記特許文献１のエアカーテン装置は、吹出口と吸込口とが形成されたケーシング内にファンが収納された一対の送風装置を備えている。該一対の送風装置は、互いの吹出口と吸込口とが対向するように配置されている。エアカーテン装置は、各ファンを駆動させることによって、両送風装置の間に、吹出口から対向する吸込口に向かう空気流れが形成される。つまり、両送風装置の間には、水平方向に対向する２つの空気流れが形成される。そして、この２つの空気流れが障壁となって、エアカーテン装置が設けられる出入口における空気の出入りを遮断していた。
【０００４】
また、上記エアカーテン装置では、一対の送風装置の内部に空気を一時的に貯留する貯留部を設け、各ファンを通過した空気が一旦貯留部を通過してからケーシングの外部へ吹き出されるようにしていた。これにより、上記エアカーテン装置では、一対の送風装置の間に均一な速度分布を有する空気流れが形成されていた。
【先行技術文献】
【特許文献】
【０００５】
【特許文献１】特開２００８−２１５７２４号公報
【発明の概要】
【発明が解決しようとする課題】
【０００６】
ところで、冷却室の出入口では、室内外の温度差によって上下方向に圧力分布が生じ、上下方向の中央部で室内外の暖気と冷気の圧力差が等しくなる一方、中央部から上層部に向かうほど、比重の小さい暖気の圧力が高くなって圧力差が大きくなり、中央部から下層部に向かうほど、比重の大きい冷気の圧力が高くなって圧力差が大きくなる。このような暖気と冷気の圧力差により、冷却室の出入口の上層部では多量の暖気が通過し、下層部では多量の冷気が通過する一方、中層部では上層部及び下層部に比べて空気の出入りが少なくなっている。
【０００７】
しかしながら、上記エアカーテン装置では、一対の送風装置の間の全領域において速度分布が均一になるように空気流れが形成される。そのため、冷却室の出入口において、上層部及び下層部において確実に空気の出入りを遮断できるような風量を確保するためにファンの回転数を比較的高く設定しなければならなかった。一方で、出入口の上層部及び下層部に適した風量となるようにファンの回転数を高くすると、中層部において風量が必要以上に大きくなり、ファン動力が無駄になって効率が低下するという課題があった。
【０００８】
本発明は、かかる点に鑑みてなされたものであり、その目的は、冷却室用エアカーテン装置において、冷却室の出入口における空気の出入りを効率よく遮断することにある。
【課題を解決するための手段】
【０００９】
第１乃至第９の発明は、空気の吸込口（24,34）と吹出口（25,35）とが１つの側面に上下に形成されたケーシング（21,31）と、該ケーシング（21,31）内の上記吸込口（24,34）と上記吹出口（25,35）との間に収容されて上記ケーシング（21,31）内に上記吸込口（24,34）から上記吹出口（25,35）へ向かう内部空気流れ（f1,f2）を形成する送風ファン（22,32）とをそれぞれ有する一対の送風装置（20,30）を備え、上記一対の送風装置（20,30）は、冷却室（1）の出入口（2）の幅方向の一端部と他端部とに互いの上記吸込口（24,34）と上記吹出口（35,25）とが対向するように設けられ、互いの間の通風空間（10a）に上記内部空気流れ（f1,f2）によって上記各吹出口（25,35）から対向する上記吸込口（34,24）へ向かう外部空気流れ（F1,F2）が形成される冷却室用エアカーテン装置であって、上記各送風装置（20,30）は、上記外部空気流れ（F1,F2）の風量が上記通風空間（10a）の上下方向の中央部から上方及び下方に向かってそれぞれ段階的に大きくなるように、上記各内部空気流れ（f1,f2）を流速の異なる複数の流れに分流する複数の第１分流板（51,52,61,62）を有している。
【００１０】
第１乃至第９の発明では、各送風装置（20,30）の送風ファン（22,32）を駆動すると、各送風装置（20,30）のケーシング（21,31）内において吸込口（24,34）から吹出口（25,35）へ向かう内部空気流れ（f1,f2）が形成されると共に、両送風装置（20,30）の間の通風空間（10a）に互いの吹出口（25,35）から吸込口（34,24）へ向かう外部空気流れ（F1,F2）が形成される。ここで、一対の送風装置（20,30）は、冷却室（1）の出入口（2）の幅方向の一端部と他端部とにそれぞれ設けられている。そのため、一対の送風装置（20,30）の間の通風空間（10a）において一方側から他方側へ向かう外部空気流れ（F1,F2）は、出入口（2）を幅方向に横断することとなる。このような出入口（2）を幅方向に横断する外部空気流れ（F1,F2）により、冷却室（1）の出入口（2）における空気の出入りが遮断される。また、第１乃至第９の発明では、各送風ファン（22,32）による内部空気流れ（f1,f2）を第１分流板（51,61）によって流速の異なる複数の流れに振り分けることにより、外部空気流れ（F1,F2）の風量が通風空間（10a）の上下方向の中央部から上方及び下方に向かってそれぞれ段階的に大きくなる。つまり、冷却室（1）の出入口（2）において、多量の暖気が通過する上層部と多量の冷気が通過する下層部では、空気の出入りを遮断する外部空気流れ（F1,F2）の風量が大きくなり、空気の出入りが少ない中層部では、空気の出入りを遮断する外部空気流れの風量が小さくなる。
【００１１】
第１乃至第７及び第９の発明では、上記構成に加え、上記複数の第１分流板（51,52,61,62）は、それぞれ平板状に形成され、上記各内部空気流れ（f1,f2）を横断する方向に間隔を空けて配列されている。
【００１２】
第１乃至第７及び第９の発明では、各内部空気流れ（f1,f2）を横断する方向に間隔を空けて配列された複数の平板状の第１分流板（51,52,61,62）によって、各内部空気流れ（f1,f2）が流速の異なる複数の流れに振り分けられる。
【００１３】
また、第１の発明では、上記構成に加え、上記送風ファン（22,32）は、上記各ケーシング（21,31）内に１つずつ収容され、上記吹出口（25）が吸込口（24）よりも上側に形成された上記ケーシング（21）内では空気を上向きに吹き出すように配置される一方、上記吹出口（35）が吸込口（34）よりも下側に形成された上記ケーシング（31）内では空気を下向きに吹き出すように配置され、上記各送風ファン（22,32）と上記吹出口（25,35）との間に設けられた上記複数の第１分流板（51,52,61,62）は、互いの間に区画した複数の流路の流入口の流路断面積に対する流出口の流路断面積の比率が、上記各吹出口（25,35）から離れた流路ほど小さくなるような角度及び間隔で配列されている。
【００１４】
第２及び第３の発明では、上記構成に加え、上記複数の第１分流板（51,52,61,62）の配列方向に延びるレール部材（58）と、上記各第１分流板（51,52,61,62）を上記レール部材（58）に対してスライド自在に且つ該レール部材（58）に直交する回転軸周りに回動自在に取り付ける取付部材（56,57）とを有し、上記各第１分流板（51,52,61,62）を支持する支持機構（55）を備えている。
【００１５】
第２及び第３の発明では、複数の第１分流板（51,52,61,62）がレール部材（58）と取付部材（56,57）とを有する支持機構（55）によって支持されている。また、各第１分流板（51,52,61,62）を、レール部材（58）に直交する回転軸周りに回動させると、各第１分流板（51,52,61,62）の角度が変わり、各第１分流板（51,52,61,62）をレール部材（58）の長手方向にスライドさせると、相隣る第１分流板（51,52,61,62）の間隔が変わる。つまり、複数の第１分流板（51,52,61,62）は、支持機構（55）によって、角度及び互いの間隔が変更可能となるように支持されている。
【００１６】
第３乃至第５及び第９の発明では、上記構成に加え、上記各吸込口（24,34）及び上記各吹出口（25,35）には、多数の通風孔が厚さ方向に貫通するように形成された多孔板（24a,25a,34a,35a）がそれぞれ設けられている。
【００１７】
第３乃至第５及び第９の発明では、各吸込口（24,34）及び各吹出口（25,35）に設けられた多孔板（24a,25a,34a,35a）によって、外部空気流れ（F1,F2）が層流化される。これにより、外部空気流れ（F1,F2）に暖気又は冷気が巻き込まれ難くなる。
【００１８】
第４及び第５の発明では、上記構成に加え、上記吸込口（24）の上側に形成された上記吹出口（25）に設けられた上記多孔板（25a）は、上下方向に複数に分割されると共に、上方の分割片ほど室外側へ傾けられ、上記吸込口（34）の下側に形成された上記吹出口（35）に設けられた上記多孔板（35a）は、上下方向に複数に分割されると共に、下方の分割片ほど室内側へ傾けられている。
【００１９】
ところで、通風空間（10a）の上下方向の中央部では、室外側の暖気と室内側の冷気の圧力差が等しくなる一方、通風空間（10a）の上層部では、暖気の圧力が高くなって暖気と冷気の圧力差が大きくなり、通風空間（10a）の下層部では、冷気の圧力が高くなって暖気と冷気の圧力差が大きくなる。このような暖気と冷気の圧力差により、通風空間（10a）では、上下方向の中央部から上方へ向かうほど、暖気による横風の風速が速くなり、上下方向の中央部から下方へ向かうほど、冷気による横風の風速が速くなる。そのため、通風空間（10a）の上下方向の中央から上方部分では、上方に向かうほど暖気による横風によって外部空気流れ（F1）の進路が室内側へ傾き易くなり、通風空間（10a）の上下方向の中央から下方の部分では、下方に向かうほど冷気による横風によって外部空気流れ（F2）の進路が室外側へ傾き易くなる。
【００２０】
ここで、冷却室用エアカーテン装置では、各ケーシング（21,31）内における内部空気流れ（f1,f2）と、通風空間（10a）において水平方向に対向して流れる２つの外部空気流れ（F1,F2）とによって、一対の送風装置（20,30）の間において空気が循環する。そのため、暖気及び冷気による横風によって外部空気流れ（F1,F2）の進路が大きく傾くと、一対の送風装置（20,30）の間において循環する空気の一部が室内外へ漏れる一方、一対の送風装置（20,30）の間において循環する空気に室内外の空気が混入し、冷気及び暖気の遮断効率が低下するおそれがあった。
【００２１】
これに対し、第４及び第５の発明では、吸込口（24）の上側の吹出口（25）に設けられた多孔板（25a）を、上下方向に複数に分割すると共に上方の分割片ほど室外側へ傾け、吸込口（34）の下側の吹出口（35）に設けられた多孔板（35a）を、上下方向に複数に分割すると共に下方の分割片ほど室内側へ傾けることとした。これにより、通風空間（10a）の上下方向の中央から上方の部分では、該通風空間（10a）に吹き出される空気の吹き出し方向が、上方に向かうほど室外側へ傾けられる。つまり、通風空間（10a）の上下方向の中央から上方の部分では、上方へ向かうほど暖気による横風の風速が速くなって外部空気流れ（F1）の進路が室内側へ傾き易くなるが、上方へ向かうほど外部空気流れ（F1）の上流側における進路が室外側へ傾けられる。その結果、外部空気流れ（F1）が室内へ漏れることなく対応する送風装置（30）に吸い込まれる。一方、通風空間（10a）の上下方向の中央から下方の部分では、該通風空間（10a）に吹き出される空気の吹き出し方向が、下方に向かうほど大きな角度で室内側へ傾けられる。つまり、通風空間（10a）の上下方向の中央から下方の部分では、下方へ向かうほど冷気による横風の風速が速くなって外部空気流れ（F2）の進路が室外側へ傾き易くなるが、下方へ向かうほど外部空気流れ（F2）の上流側における進路が室内側へ傾けられる。そのため、外部空気流れ（F2）が室外へ漏れることなく対応する送風装置（20）に吸い込まれる。つまり、第４及び第５の発明では、通風空間（10a）への空気の吹き出し方向を、暖気及び冷気による横風の上下方向における風速分布に応じて、横風の上流側方向へ傾けることにより、一対の送風装置（20,30）の間において循環する空気の室内外への漏れが抑制される。
【００２２】
第５の発明は、第４の発明において、上記各吹出口（25,35）に設けられた上記多孔板（25a,35a）は、奥行方向の中央部が両端部に比べて上記ケーシング（21,31）の内部側に凹むＶ字形状に形成されている。
【００２３】
ところで、通風空間（10a）において水平方向に対向して流れる２つの外部空気流れ（F1,F2）は、それぞれ下流側に向かうほど風速が低下して奥行方向に膨らむため、一部が下流側において室内外へ漏れるおそれがあった。外部空気流れ（F1,F2）の一部が室内外へ漏れると、一対の送風装置（20,30）の間における空気の循環風量が減少するため、冷却室（1）の出入口（2）における空気の出入りを確実に遮断できなくなるおそれがあった。
【００２４】
これに対し、第５の発明では、各吹出口（25,35）に設けられた多孔板（25a,35a）を、奥行方向の中央部が両端部に比べてケーシング（21,31）の内部側に凹むＶ字形状に形成することとした。このような多孔板（25a,35a）から空気を吹き出すことにより、各外部空気流れ（F1,F2）は、各吹出口（25,35）から吹き出されて一旦は下流側に向かって奥行方向に窄まる。そのため、外部空気流れ（F1,F2）が下流側において奥行方向に膨らんだとしても、多孔板（25a,35a）を扁平な形状に形成した場合に比べて、奥行方向への膨らみ量が少なくなる。
【００２５】
第６及び第７の発明では、上記構成に加え、上記各送風ファン（22,32）は、上記吹出口（24,34）と平行に空気を吹き出すように設けられる一方、上記複数の第１分流板（51,61）は、少なくとも上記各送風ファン（22,32）と上記吹出口（25,35）との間に設けられ、上記各送風ファン（22,32）の吹出側であって上記複数の第１分流板（51,61）との間には、該送風ファン（22,32）の吹き出し空気を下流側ほど上記吹出口（25,35）に近づくように整流する多数の空気通路を有する整流部材（27,37）が設けられている。
【００２６】
第６及び第７の発明では、各送風ファン（22,32）の吹き出し空気は、複数の第１分流板（51,61）によって分流される前に、整流部材（27,37）によって整流されると共に、下流側ほど吹出口（25,35）に近づくように流通方向が変更される。つまり、送風ファン（22,32）の吹き出し空気は、吹出口（25,35）に至るまでの間に、整流部材（27,37）と各第１分流板（51,61）とによって二段階に流通方向が変更される。
【００２７】
第７の発明は、第６の発明において、上記各整流部材（27,37）は、上記多数の空気通路の通路長さが、上記各ケーシング（21,31）の幅方向において上記通風空間（10a）側の空気通路ほど短くなるように形成されている。
【００２８】
第７の発明では、各整流部材（27,37）は、多数の空気通路の通路長さが、幅方向において通風空間（10a）側の空気通路ほど短くなるように形成されている。そのため、各整流部材（27,37）による整流効果の程度は、吹出口（25,35）までの距離が短くなる幅方向における通風空間（10a）側ほど低くなる。
【００２９】
第８の発明では、上記構成に加え、上記各送風装置（20,30）は、上記外部空気流れ（F1,F2）の流速が上記通風空間（10a）の奥行方向の中央部よりも両端部において遅くなるように、上記各内部空気流れ（f1,f2）を流速の異なる複数の流れに分流する複数の第２分流板（53,63）を有している。
【００３０】
第８の発明では、第２分流板（53,63）によって内部空気流れ（f1,f2）を流速の異なる複数の流れに分流することにより、外部空気流れ（F1,F2）の流速が通風空間（10a）の奥行方向の中央部よりも両端部において遅くなる。つまり、冷却室（1）の出入口（2）において、暖気又は冷気と接触してこれらを巻き込むおそれのある外部空気流れ（F1,F2）の奥行方向の両端部における流速が中央部に比べて遅くなる。その結果、暖気や冷気が外部空気流れに巻き込まれ難くなる。
【００３１】
第９の発明では、上記構成に加え、上記各送風装置（20,30）の吹出口（25,35）に設けられた上記多孔板（25a,35a）の多数の通風孔は、該多孔板（25a,35a）の上下方向において上記送風ファン（22,32）側の一端から他端へ向かって外径が段階的に大きくなると共に、上記多孔板（25a,35a）における奥行方向の中央部よりも両端部において外径が小さくなるように形成されている。
【００３２】
第９の発明では、各吹出口（25,35）に設けられた多孔板（25a,35a）では、多数の通風孔の外径が、該多孔板（25a,35a）の上下方向において送風ファン（22,32）側の一端から他端へ向かって外径が段階的に大きくなるように形成されている。つまり、吸込口（24）よりも吹出口（25）が上側に設けられた送風装置（20）の吹出口（25）に設けられた多孔板（25a）では、下端から上端に向かって通風孔の外径が段階的に大きくなり、吸込口（34）よりも吹出口（35）が下側に設けられた送風装置（30）の吹出口（35）に設けられた多孔板（35a）では、上端から下端に向かって通風孔の外径が段階的に大きくなる。これにより、第１分流板（51,61）だけでなく、各吹出口（25,35）に設けられた多孔板（25a,35a）によっても、通風空間（10a）の上下方向の中央部から上方及び下方に向かってそれぞれ段階的に風量が大きくなるように外部空気流れ（F1,F2）が形成される。また、各吹出口（25,35）に設けられた多孔板（25a,35a）では、多数の通風孔の外径が、奥行方向の中央部よりも両端部において小さくなるように形成されている。これにより、第２分流板（53,63）だけでなく、各吹出口（25,35）に設けられた多孔板（25a,35a）によっても、通風空間（10a）の奥行方向の中央部よりも両端部において流速が遅くなるように外部空気流れ（F1,F2）が形成される。
【発明の効果】
【００３３】
第１乃至第９の発明によれば、各送風ファン（22,32）による内部空気流れ（f1,f2）を第１分流板（51,61）によって流速の異なる複数の流れに振り分けることにより、１つの送風ファン（22,32）で該送風ファン（22,32）の回転数を増大させることなく、冷却室（1）の出入口（2）の空気の出入りの多い上層部と下層部に対応する通風空間（10a）の上層部と下層部における外部空気流れ（F1,F2）の風量を増大させることができる。つまり、第１分流板（51,61）によって内部空気流れ（f1,f2）を振り分けて冷却室（1）の出入口（2）を横断する外部空気流れ（F1,F2）に対して上下方向の速度分布を形成することにより、送風ファン（22,32）の回転数を増大させることなく、室内外の圧力差が大きくなる出入口（2）の上層部及び下層部における空気の出入りを遮断するための必要風量を確保することができる。その結果、冷却室（1）の出入口（2）における空気の出入りを効率よく遮断することができる。
【００３４】
ところで、各ケーシング（21,31）において、吸込口（24,34）と吹出口（25,35）とは、１つの側面に上下に形成されている。そのため、吸込口（24,34）から吹出口（25,35）へ向かう内部空気流れ（f1,f2）は、湾曲した形状となる。そこで、各内部空気流れ（f1,f2）を分流するために、第１分流板（51,61）を、内部空気流れ（f1,f2）に沿うように湾曲させた板状体によって構成することが考えられる。しかし、このような構成では、複数の第１分流板（51,61）の形状が多様になり、各内部空気流れ（f1,f2）を分流する分流機構を容易に製作することができない。
【００３５】
これに対し、第１乃至第７及び第９の発明によれば、各第１分流板（51,52,61,62）を平板状に形成し、これらを各内部空気流れ（f1,f2）を横断する方向に間隔を空けて配列することによって、各内部空気流れ（f1,f2）を流速の異なる複数の流れに振り分けることとした。そのため、内部空気流れ（f1,f2）を流速の異なる複数の流れに振り分ける分流機構を容易に構成することができる。
【００３６】
ところで、上述のように複数の平板状の第１分流板（51,61）によって各内部空気流れ（f1,f2）を分流する場合、第１分流板（51,61）の角度と間隔とを変更することによって、分流される各空気流れの風速を変更することができる。
【００３７】
そのため、第２及び第３の発明によれば、複数の第１分流板（51,52,61,62）の角度と間隔とが変更可能になるように各第１分流板（51,52,61,62）を支持する支持機構（55）を設けることとした。そのため、複数の第１分流板（51,52,61,62）によって分流される各空気流れの風速を容易に変更することができる。これにより、第１分流板（51,52,61,62）を取り換えることなく、各空気流れの風速を容易に変更することができると共に、第１分流板（51,52,61,62）の取り付け後に、各空気流れの風速を微調整することができる。
【００３８】
また、第３乃至第５及び第９の発明によれば、各吸込口（24,34）及び各吹出口（25,35）に多孔板（24a,25a,34a,35a）を設けて冷却室（1）の出入口（2）における空気の出入りを遮断する外部空気流れ（F1,F2）を層流化することとしたため、外部空気流れ（F1,F2）への暖気又は冷気の巻き込みを抑制することができる。従って、冷却室（1）の出入口（2）における空気の出入りを効率よく遮断することができる。
【００３９】
また、第４及び第５の発明によれば、吸込口（24）の上側の吹出口（25）に設けられた多孔板（25a）を、上下方向に複数に分割すると共に上方の分割片ほど室外側へ傾け、吸込口（34）の下側の吹出口（35）に設けられた多孔板（35a）を、上下方向に複数に分割すると共に下方の分割片ほど室内側へ傾けることとした。これにより、通風空間（10a）への空気の吹き出し方向を、暖気及び冷気による横風の上下方向における風速分布に応じて、横風の上流側方向に傾けることができる。よって、一対の送風装置（20,30）の間において循環する空気の室内外への漏れを抑制することができると共に、室内外の空気が一対の送風装置（20,30）の間において循環する空気に混入することを抑制することができる。従って、冷気及び暖気の遮断効率を向上させることができる。
【００４０】
また、第５の発明によれば、各吹出口（25,35）に設けられた多孔板（25a,35a）を、奥行方向の中央部が両端部に比べてケーシング（21,31）の内部側に凹むＶ字形状に形成することとした。これにより、各外部空気流れ（F1,F2）は、各吹出口（25,35）から吹き出されて一旦は下流側に向かって奥行方向に窄まる。そのため、各外部空気流れ（F1,F2）が下流側において奥行方向に膨らんだとしても、吹き出しグリル（25a,35a）を扁平に形成した場合に比べて、奥行方向への膨らみ量を低減することができる。その結果、外部空気流れ（F1,F2）は、漏れることなく対応する送風装置（30,20）に吸い込まれる。従って、外部空気流れ（F1,F2）の室内外への漏れを抑制することができ、一対の送風装置（20,30）の間における空気の循環風量の減少を抑制することができる。よって、冷却室（1）の出入口（2）における空気の出入りを確実に遮断することができる。
【００４１】
ところで、各吹出口（25,35）において送風ファン（22,32）の最も近くから吹き出される空気流れ（以下、単に近接空気流れと称する。）は、他の空気流れに比べて長さが各段に短い。そのため、整流部材（27,37）による整流方向を送風ファン（22,32）の吹き出し方向に等しくすると、近接空気流れを形成するために第１分流板（51,61）のみによって空気流れの方向を急激に変更しなければならず、近接空気流れが第１分流板（51,61）付近に偏流するおそれがあった。近接空気流れが第１分流板（51,61）付近に偏流すると、吹出口（25,35）の近接空気流れの周囲の部分からは空気が吹き出されず、当該部分では近接空気流れによって圧力が低下するために、空気を吹き出すどころか通風空間（10a）の空気を吸い込むおそれがあった。吹出口（25,35）の一部において空気を吸い込んでしまうと、外部空気流れ（F1,F2）の風量が不十分になるため、冷却室（1）の出入口（2）における空気の出入りを遮断することができなくなる。
【００４２】
そこで、第６及び第７の発明では、送風ファン（22,32）の吹き出し空気を下流側ほど吹出口（25,35）に近づくように整流する整流部材（27,37）を設けることにより、送風ファン（22,32）の吹き出し空気の流通方向を、整流部材（27,37）と各第１分流板（51,61）とによって二段階に変更することとした。これにより、整流方向と送風ファン（22,32）の吹き出し方向とが等しい場合に比べて、近接空気流れを形成するために第１分流板（51,61）による空気流れの方向転換量を小さくすることができる。よって、近接空気流れの偏流をより確実に抑制することができる。
【００４３】
ところで、各整流部材（27,37）の幅方向における通風空間（10a）側の空気通路は、他方側の空気通路よりも吹出口（25,35）までの距離が短いため、要求される整流効果の程度が、他方側の空気通路よりも低い。一方、各整流部材（27,37）の幅方向における通風空間（10a）側の空気通路における整流効果の程度が高すぎると、近接空気流れが偏流するおそれが高くなる。
【００４４】
そこで、第７の発明では、各整流部材（27,37）を、多数の空気通路の通路長さが、幅方向において通風空間（10a）側の空気通路ほど短くなるように形成することとした。そのため、各整流部材（27,37）による整流効果は、吹出口（25,35）までの距離が短くなる幅方向における通風空間（10a）側ほど低くなる。これにより、多数の空気通路の通路長さを、要求される整流効果の程度に応じた長さに形成することができる。また、各整流部材（27,37）の幅方向における通風空間（10a）側の空気通路における整流効果を低減することにより、近接空気流れの偏流を一層抑制することができる。
【００４５】
また、第８の発明によれば、各送風ファン（22,32）による内部空気流れ（f1,f2）を第２分流板（53,63）によって流速の異なる複数の流れに振り分けることにより、１つの送風ファン（22,32）でその回転数を変更することなく、外部空気流れ（F1,F2）の奥行方向の両端部の流速を中央部に比べて低減することができる。つまり、第２分流板（53,63）によって内部空気流れ（f1,f2）を振り分けて冷却室（1）の出入口（2）を横断する外部空気流れ（F1,F2）に対して奥行方向の速度分布を形成することにより、送風ファン（22,32）の回転数を変更することなく、暖気又は冷気を巻き込むおそれのある外部空気流れ（F1,F2）の奥行方向の両端部における流速を中央部よりも遅くすることができる。その結果、冷却室（1）の出入口（2）における空気の出入りを遮断する外部空気流れ（F1,F2）への暖気又は冷気の巻き込みを抑制することができる。従って、冷却室（1）の出入口（2）における空気の出入りを効率よく遮断することができる。
【００４６】
また、第９の発明によれば、各吹出口（25,35）に設けられた多孔板（25a,35a）を、多数の通風孔の外径が、上下方向の送風ファン（22,32）側の一端から他端へ向かって外径が段階的に大きくなると共に、奥行方向の中央部よりも両端部において小さくなるように形成することとした。このように各吹出口（25,35）の多孔板（25a,35a）を形成することにより、送風ファン（22,32）の回転数を変更することなく、冷却室（1）の出入口（2）の上層部及び下層部における空気の出入りを遮断するための外部空気流れ（F1,F2）の必要風量を確保しつつ、外部空気流れ（F1,F2）への暖気又は冷気の巻き込みを抑制することができる。従って、冷却室（1）の出入口（2）における空気の出入りを効率よく遮断することができる。
【図面の簡単な説明】
【００４７】
【図１】図１は、実施形態１に係るエアカーテン装置が設置された冷凍庫の出入口付近を示す横断面図である。
【図２】図２は、実施形態１に係るエアカーテン装置を冷凍庫側から視た側面図である。
【図３】図３は、実施形態１に係るエアカーテン装置の縦断面図である。
【図４】図４は、実施形態１に係るエアカーテン装置の横断面図である。
【図５】図５（Ａ）、（Ｂ）は、実施形態１に係るエアカーテン装置の側面図であり、（Ａ）は第１送風装置の内側面を示し、（Ｂ）は第２送風装置の内側面を示している。
【図６】図６は、実施形態１に係るエアカーテン装置の通風空間に形成される空気流れの速度分布を示す斜視図である。
【図７】図７は、実施形態２に係るエアカーテン装置の縦断面図である。
【図８】図８は、実施形態２に係るエアカーテン装置の横断面図である。
【図９】図９は、整流部材の製作方法を示す模式図である。
【図１０】図１０は、ブレード及び支持機構の分解斜視図と組立斜視図である。
【図１１】図１１（Ａ）、（Ｂ）は、実施形態２に係るエアカーテン装置の側面図であり、（Ａ）は第１送風装置の内側面を示し、（Ｂ）は第２送風装置の内側面を示している。
【図１２】図１２は、実施形態２に係るエアカーテン装置の吹き出しグリルの各分割片の設置態様を示す横断面図である。
【図１３】図１３は、実施形態２に係るエアカーテン装置の通風空間に形成される空気流れの方向及び速度分布を示す斜視図である。
【発明を実施するための形態】
【００４８】
以下、本発明の実施形態を図面に基づいて詳細に説明する。なお、以下では、本発明に係る冷却室用エアカーテン装置の一例として、食品加工工場の加工室に隣接して設けられた冷凍庫の出入口に設けられたエアカーテン装置について説明する。
【００４９】
《発明の実施形態１》
図１に示すように、エアカーテン装置（10）は、冷凍庫（冷却室）（1）の出入口（2）に設けられている。具体的には、冷凍庫（1）と庫外（室外）の加工室との間の仕切壁（3）に開口（3a）が形成され、該開口（3a）の冷凍庫（1）側に上記エアカーテン装置（10）が設けられている。なお、開口（3a）の加工室側には、開閉扉（4）が設けられている。また、仕切壁（3）とエアカーテン装置（10）との間には、仕切壁（3）とエアカーテン装置（10）との隙間を閉塞するトンネル状の閉塞壁（5）が設けられている。
【００５０】
なお、本実施形態では、冷凍庫（1）の出入口（2）は、開状態の開閉扉（4）の開口部（4a）と、仕切壁（3）の開口（3a）と、閉塞壁（5）の開口部（5a）と、エアカーテン装置（10）の開口部となる通風空間（10a）とによって構成されている。そして、冷凍庫（1）の出入口（2）は、開閉扉（4）によって開閉される一方、該開閉扉（4）が開状態の際に本発明に係るエアカーテン装置（10）が形成する水平方向の空気流れ（F1,F2）によって該出入口（2）における空気の出入りが遮断される。
【００５１】
−エアカーテン装置の構成−
エアカーテン装置（10）は、一対の送風装置、即ち、第１送風装置（20）と第２送風装置（30）とを備えている。第１送風装置（20）及び第２送風装置（30）は、冷凍庫（1）の出入口（2）の幅方向の一端部と他端部にそれぞれ別個に設けられ、互いの間に通風空間（10a）を区画している。図１及び図２に示すように、本実施形態では、冷凍庫（1）内から加工室方向を視たときに、第１送風装置（20）が出入口（2）の左側端部に設けられ、第２送風装置（30）が出入口（2）の右側端部に設けられている。
【００５２】
図３及び図４に示すように、各送風装置（20,30）は、箱状のケーシング（21,31）と、該ケーシング（21,31）に収容された送風ファン（22,32）とをそれぞれ有している。
【００５３】
各ケーシング（21,31）は、４つの側板によって横断面が矩形に形成された筒部（23,33）と該筒部（23,33）の上端を閉塞する天板（26,36）とを有している。各筒部（23,33）の互いに対向する側板には、空気の吸込口（24,34）と吹出口（25,35）とがそれぞれ形成されている。また、本実施形態では、両ケーシング（21,31）の天板（26,36）が１つの板部材によって一体に構成されている。つまり、エアカーテン装置（10）は、上記通風空間（10a）の側方と上方とを取り囲む門型に構成されている。
【００５４】
各吸込口（24,34）と各吹出口（25,35）とは、それぞれ矩形の開口によって形成されている。第１送風装置（20）では、吹出口（25）が上側に形成される一方、吸込口（24）が下側に形成されている。一方、第２送風装置（30）では、吸込口（34）が上側に形成される一方、吹出口（35）が下側に形成されている。また、第１送風装置（20）の吸込口（24）には、吸い込みグリル（24a）が取り付けられ、吹出口（25）には吹き出しグリル（25a）が取り付けられている。一方、第２送風装置（30）の吸込口（34）には、吸い込みグリル（34a）が取り付けられ、吹出口（35）には吹き出しグリル（35a）が取り付けられている。詳細については後述するが、各グリル（24a,25a,34a,35a）は、多数の通風孔が形成された多孔板によって構成されている。
【００５５】
各送風ファン（22,32）は、有圧扇によって構成され、各ケーシング（21,31）内の上下方向の中央付近に配置されている。本実施形態では、第１送風装置（20）の送風ファン（22）は、ケーシング（21）の上下方向の中央から下方にずれた位置に設けられ、第２送風装置（30）の送風ファン（32）は、ケーシング（31）の上下方向の中央から上方にずれた位置に設けられている。これにより、第１送風装置（20）の送風ファン（22）と第２送風装置（30）の送風ファン（32）とは、上下方向にずれた位置に配置されている。
【００５６】
第１送風装置（20）の送風ファン（22）は、ケーシング（21）の内部において吸込口（24）と吹出口（25）との間に設けられ、下方から空気を吸い込んで上方に吹き出すように上吹き状態で設けられている。このように設けられることにより、第１送風装置（20）では、ケーシング（21）の内部において、送風ファン（22）よりも下側の吸込口（24）から上側の吹出口（25）に向かう内部空気流れ（f1）が形成される。
【００５７】
第２送風装置（30）の送風ファン（32）は、ケーシング（31）の内部において吸込口（34）と吹出口（35）との間に設けられ、上方から空気を吸い込んで下方に吹き出すように下吹き状態で設けられている。このように設けられることにより、第２送風装置（30）では、ケーシング（31）の内部において、送風ファン（32）よりも上側の吸込口（34）から下側の吹出口（35）に向かう内部空気流れ（f2）が形成される。
【００５８】
各送風ファン（22,32）には、吹出側に整流部材（27,37）が取り付けられている。各整流部材（27,37）は、ハニカム構造体によって構成され、断面が正六角形状の通風孔からなる空気通路が多数形成されている。このような整流部材（27,37）により、各送風ファン（22,32）から吹き出された空気は、旋回成分が除去されて層流化される。つまり、多数の空気通路によって該空気通路の軸方向（本実施形態では上下方向）に一様な流れに変換される。
【００５９】
また、第１送風装置（20）には、内部空気流れ（f1）を複数の流れに分流する複数の横ブレード（第１分流板）（51,52）と、複数の縦ブレード（第２分流板）（53）とが設けられている。一方、第２送風装置（30）には、内部空気流れ（f2）を複数の流れに分流する複数の横ブレード（第１分流板）（61,62）と、複数の縦ブレード（第２分流板）（63）とが設けられている。横ブレード（51,52,61,62）及び縦ブレード（53,63）の詳細については後述する。
【００６０】
以上のような構成により、第１送風装置（20）及び第２送風装置（30）の各送風ファン（22,32）が駆動されると、各ケーシング（21,31）内において内部空気流れ（f1,f2）が形成されると共に、第１送風装置（20）と第２送風装置（30）の間に区画される通風空間（10a）には、第１送風装置（20）の吹出口（25）から第２送風装置（30）の吸込口（34）に向かう空気流れ（F1）と、第２送風装置（30）の吹出口（35）から第１送風装置（20）の吸込口（24）に向かう空気流れ（F2）とが形成される。空気流れ（F1）と空気流れ（F2）とは、上下方向に並び、水平方向に対向して流れる空気流れである。
【００６１】
〈横ブレード〉
各横ブレード（51,52,61,62）は、各ケーシング（21,31）内の吸込口（24,34）と吹出口（25,35）とのそれぞれにおいて各内部空気流れ（f1,f2）を吹出口（25,35）において上下方向に並ぶ流速の異なる複数の流れに分流するように設けられている。各横ブレード（51,52,61,62）は、矩形の板状体を湾曲させて形成されている。本実施形態では、各ケーシング（21,31）内の送風ファン（22,32）と吹出口（25,35）との間に、４つの横ブレード（51,61）が設けられる一方、各ケーシング（21,31）内の送風ファン（22,32）と吸込口（24,34）との間に３つの横ブレード（52,62）が設けられている。
【００６２】
各送風装置（20,30）のケーシング（21,31）内の送風ファン（22,32）と吹出口（25,35）との間に設けられた複数の横ブレード（51,61）は、分流された複数の流れの流速が送風ファン（22,32）と離れるほど速くなるような間隔で設けられている。より具体的には、複数の横ブレード（51,61）は、分流された複数の流れの吹出口（25,35）側の流出端における流路断面積が等しくなる一方、送風ファン（22,32）側の流入端における流路断面積が送風ファン（22,32）から離れた流れほど大きくなるように形成されている。
【００６３】
一方、各送風装置（20,30）のケーシング（21,31）内の送風ファン（22,32）と吸込口（24,34）との間に設けられた複数の横ブレード（52,62）は、分流された複数の流れの吸込口（24,34）側の流入端における流路断面積が等しくなる一方、送風ファン（22,32）側の流出端における流路断面積が送風ファン（22,32）から離れた流れほど大きくなるように形成されている。これにより、複数の横ブレード（51）によって分流された複数の流れは、送風ファン（22）と離れた流れほど流速が速くなる。
【００６４】
以上のような横ブレード（51,52,61,62）が設けられることにより、各ケーシング（21,31）内に形成されて吸込口（24,34）から吹出口（25,35）に向かって湾曲して流れる内部空気流れ（f1,f2）は、径方向に複数の流れに分流される。そして、複数の流れは、内周側から外周側に向かって段階的に流速が速くなる。これにより、第１送風装置（20）の吹出口（25）から通風空間（10a）に吹き出されて第２送風装置（30）の吸込口（34）に向かって流れる空気流れ（F1）は、下端（通風空間（10a）の上下方向の中央部）から上端に向かって段階的に風速が速くなり、風量が多くなる。一方、第２送風装置（30）の吹出口（35）から通風空間（10a）に吹き出されて第１送風装置（20）の吸込口（24）に向かって流れる空気流れ（F2）は、上端（通風空間（10a）の上下方向の中央部）から下端に向かって段階的に風速が速くなり、風量が多くなる。つまり、通風空間（10a）を水平方向に流れる空気流れ（F1,F2）の風量は、通風空間（10a）の上下方向の中央部から上方及び下方に向かってそれぞれ段階的に大きくなる。
【００６５】
〈縦ブレード〉
各縦ブレード（53,63）は、各ケーシング（21,31）内の吹出口（25,35）において各内部空気流れ（f1,f2）を奥行方向（図４の上下方向）に並ぶ流速の異なる複数の流れに分流するように設けられている。各縦ブレード（53,63）は、矩形の板状体に構成され、吹出口（25,35）に設けられた各横ブレード（51,61）と互いに形成されたスリットを噛み合わせることによって縦横に交叉するように組み立てられている。
【００６６】
各縦ブレード（53,63）は、分流された複数の流れが奥行方向の中央部よりも両端部において流速が遅くなるように設けられている。本実施形態では、縦ブレード（53,63）は、４つずつ設けられ、各吹出口（25,35）付近を５つの空気流路に区画している。具体的には、４つの縦ブレード（53,63）により、奥行方向の中央に先細りの高速流路が区画され、奥行方向の両端に先太りの低速流路が区画され、高速流路と低速流路との間に流路断面積が一様な中速流路が区画されている。
【００６７】
以上のような縦ブレード（53,63）が設けられることにより、各ケーシング（21,31）内に形成されて吸込口（24,34）から吹出口（25,35）に向かって湾曲して流れる内部空気流れ（f1,f2）は、吹出口（25,35）の近傍において奥行方向に５つの流れに分流される。そして、５つの流れは、奥行方向の中央から両端に向かって段階的に流速が遅くなる。これにより、第１送風装置（20）の吹出口（25）から通風空間（10a）に吹き出されて第２送風装置（30）の吸込口（34）に向かって流れる空気流れ（F1）は、通風空間（10a）の奥行方向の中央部から両端部に向かって段階的に風速が遅くなる。また、第２送風装置（30）の吹出口（35）から通風空間（10a）に吹き出されて第１送風装置（20）の吸込口（24）に向かって流れる空気流れ（F2）も、通風空間（10a）の奥行方向の中央部から両端部に向かって段階的に風速が遅くなる。つまり、通風空間（10a）を水平方向に流れる空気流れ（F1,F2）の風速は、通風空間（10a）の奥行方向の中央部よりも両端部において遅くなる。
【００６８】
〈グリル〉
図５に示すように、各グリル（24a,25a,34a,35a）は、多数の通風孔が形成された多孔板によって構成されている。本実施形態では、各グリル（24a,25a,34a,35a）の通風孔は、正六角形状に形成され、各グリル（24a,25a,34a,35a）はハニカム構造に構成されている。
【００６９】
各送風装置（20,30）の吸い込みグリル（24a,34a）は、それぞれ全域に亘って等しい外径の通風孔が形成されている。
【００７０】
一方、各送風装置（20,30）の吹き出しグリル（25a,35a）は、それぞれ３つの横桟部材によって上下方向に４つに仕切られると共に、４つの縦桟部材によって奥行方向に５つに仕切られている。つまり、各吹き出しグリル（25a,35a）は、横桟部材と縦桟部材とによって２０区画に仕切られている。また、３つの横桟部材は、横ブレード（51,61）に対応するように設けられ、４つの縦桟部材は、縦ブレード（53,63）に対応するように設けられている。
【００７１】
第１送風装置（20）の吹き出しグリル（25a）では、上下方向に並ぶ４つの区画では、最も下側の区画において通風孔の外径が最も小さく、上方の区画になるに従って通風孔の外径が大きくなるように形成されている。また、吹き出しグリル（25a）では、奥行方向に並ぶ５つの区画では、中央の区画において通風孔の外径が最も大きく、外側の区画になるに従って通風孔の外径が小さくなるように形成されている。つまり、吹き出しグリル（25a）は、多数の通風孔の外径が、下端から上端へ向かって段階的に大きくなると共に、奥行方向の中央から両端へ向かって段階的に小さくなるように形成されている。
【００７２】
一方、第２送風装置（30）の吹き出しグリル（35a）では、上下方向に並ぶ４つの区画では、最も上側の区画において通風孔の外径が最も小さく、下方の区画になるに従って通風孔の外径が大きくなるように形成されている。また、吹き出しグリル（35a）では、奥行方向に並ぶ５つの区画では、中央の区画の通風孔の外径が最も大きく、外側の区画になるに従って通風孔の外径が小さくなるように形成されている。つまり、吹き出しグリル（35a）は、多数の通風孔の外径が、上端から下端へ向かって段階的に大きくなると共に、奥行方向の中央から両端へ向かって段階的に小さくなるように形成されている。
【００７３】
このような構成により、各吹き出しグリル（25a,35a）から通風空間（10a）に吹き出される空気の流速は、吹き出しグリル（25a,35a）における通風空間（10a）の上下方向の中央部に対応する上下方向の一端（第１送風装置（20）では下端、第２送風装置（30）では上端）から他端（第１送風装置（20）では上端、第２送風装置（30）では下端）に向かって段階的に速くなる一方、奥行方向の中央から外側に向かって段階的に遅くなる。
【００７４】
−運転動作−
エアカーテン装置（10）では、第１送風装置（20）及び第２送風装置（30）の各送風ファン（22,32）を駆動すると、各ケーシング（21,31）内において内部空気流れ（f1,f2）が形成されると共に、通風空間（10a）に水平方向の空気流れ（F1,F2）が形成される。
【００７５】
具体的には、第１送風装置（20）では、送風ファン（22）を駆動すると、ケーシング（21）内に、送風ファン（22）よりも下側の吸込口（24）から上側の吹出口（25）に向かう湾曲した内部空気流れ（f1）が形成される。一方、第２送風装置（30）では、送風ファン（32）を駆動すると、ケーシング（31）内に、送風ファン（32）よりも上側の吸込口（34）から下側の吹出口（35）に向かう湾曲した内部空気流れ（f2）が形成される。
【００７６】
上記内部空気流れ（f1）は、第１送風装置（20）の吹出口（25）から通風空間（10a）に吹き出される。通風空間（10a）に吹き出された空気は、第１送風装置（20）の吹出口（25）が対向する第２送風装置（30）の吸込口（34）に吸い込まれる。このようにして通風空間（10a）の上下方向中央から上側に水平方向に流れる空気流れ（F1）が形成される。一方、上記内部空気流れ（f2）は、第２送風装置（30）の吹出口（35）から通風空間（10a）に吹き出される。通風空間（10a）に吹き出された空気は、第２送風装置（30）の吹出口（35）が対向する第１送風装置（20）の吸込口（24）に吸い込まれる。このようにして通風空間（10a）の上下方向中央から下側に、上記空気流れ（F1）に対向するように流れる空気流れ（F2）が形成される。
【００７７】
ここで、上述のように、第１送風装置（20）及び第２送風装置（30）は、冷凍庫（1）の出入口（2）の幅方向の一端部と他端部とにそれぞれ設けられている。そのため、第１送風装置（20）及び第２送風装置（30）の間の通風空間（10a）において一方側から他方側へ流れる空気流れ（F1,F2）は、出入口（2）を幅方向に横断することとなる。このような出入口（2）を幅方向に横断する空気流れ（F1,F2）により、冷凍庫（1）の出入口（2）における空気の出入りが遮断される。
【００７８】
また、各送風装置（20,30）のケーシング（21,31）内では、複数の横ブレード（51,52,61,62）によって吸込口（24,34）から吹出口（25,35）に向かって湾曲して流れる内部空気流れ（f1,f2）が、径方向に並び内周側から外周側に向かって段階的に流速が速くなる複数の流れに分流される。これにより、図６に示すように、通風空間（10a）を水平方向に流れる空気流れ（F1,F2）の流速は、通風空間（10a）の上下方向の中央部から上方及び下方に向かってそれぞれ段階的に速くなる。これにより、空気流れ（F1,F2）の風量は通風空間（10a）の上下方向の中央部から上方及び下方に向かってそれぞれ段階的に大きくなる。さらに、各吹出口（25,35）に設けられ、通風空間（10a）の上下方向の中央部に対応する上下方向の一端から他端へ向かって通風孔の外径が段階的に大きくなるように形成された吹き出しグリル（25a,35a）によっても、空気流れ（F1,F2）の風量は、通風空間（10a）の上下方向の中央部から上方及び下方に向かってそれぞれ段階的に大きくなる。
【００７９】
また、各送風装置（20,30）のケーシング（21,31）内では、複数の縦ブレード（53,63）によって内部空気流れ（f1,f2）が、吹出口（25,35）の近傍において奥行方向の中央から両端に向かって段階的に流速が遅くなる５つの流れに分流される。これにより、通風空間（10a）を水平方向に流れる空気流れ（F1,F2）の風速は、通風空間（10a）の奥行方向の中央部から両端部へ向かって段階的に遅くなる。さらに、各吹出口（25,35）に設けられ、奥行方向の中央から両端へ向かって通風孔の外径が段階的に小さくなるように形成された吹き出しグリル（25a,35a）によっても、空気流れ（F1,F2）の風速は、通風空間（10a）の奥行方向の中央部から両端部へ向かって段階的に遅くなる。
【００８０】
−実施形態１の効果−
上記実施形態によれば、各送風ファン（22,32）による内部空気流れ（f1,f2）を横ブレード（51,61）によって各吹出口（25,35）において上下方向に並ぶ流速の異なる複数の流れに振り分けることにより、１つの送風ファン（22,32）で該送風ファン（22,32）の回転数を増大させることなく、冷凍庫（1）の出入口（2）の空気の出入りの多い上層部と下層部に対応する通風空間（10a）の上層部と下層部おける空気流れ（F1,F2）の風量を増大させることができる。つまり、横ブレード（51,61）によって内部空気流れ（f1,f2）を振り分けて冷凍庫（1）の出入口（2）を横断する空気流れ（F1,F2）に対して上下方向の速度分布を形成することにより、送風ファン（22,32）の回転数を増大させることなく、庫内外の圧力差が大きくなる出入口（2）の上層部及び下層部における空気の出入りを遮断するための必要風量を確保することができる。その結果、冷凍庫（1）の出入口（2）における空気の出入りを効率よく遮断することができる。
【００８１】
また、上記実施形態によれば、各送風ファン（22,32）による内部空気流れ（f1,f2）を縦ブレード（53,63）によって各吹出口（25,35）において奥行方向に並ぶ流速の異なる複数の流れに振り分けることにより、１つの送風ファン（22,32）でその回転数を変更することなく、空気流れ（F1,F2）の奥行方向の両端部の流速を中央部に比べて低減することができる。つまり、縦ブレード（53,63）によって内部空気流れ（f1,f2）を振り分けて冷凍庫（1）の出入口（2）を横断する空気流れ（F1,F2）に対して奥行方向の速度分布を形成することにより、送風ファン（22,32）の回転数を変更することなく、暖気又は冷気を巻き込むおそれのある空気流れ（F1,F2）の奥行方向の両端部における流速を中央部よりも遅くすることができる。その結果、冷凍庫（1）の出入口（2）における空気の出入りを遮断する空気流れ（F1,F2）への暖気又は冷気の巻き込みを抑制することができる。従って、冷凍庫（1）の出入口（2）における空気の出入りを効率よく遮断することができる。
【００８２】
また、上記実施形態によれば、各吸込口（24,34）及び各吹出口（25,35）に多孔板からなるグリル（24a,25a,34a,35a）を設けて冷凍庫（1）の出入口（2）における空気の出入りを遮断する空気流れ（F1,F2）を層流化することとしたため、空気流れ（F1,F2）への暖気又は冷気の巻き込みを抑制することができる。従って、冷凍庫（1）の出入口（2）における空気の出入りを効率よく遮断することができる。
【００８３】
また、上記実施形態によれば、各吹出口（25,35）に設けられた多孔板からなる吹き出しグリル（25a,35a）を、多数の通風孔の外径が、該吹き出しグリル（25a,35a）の上下方向において送風ファン（22,32）側の一端から他端へ向かって外径が段階的に大きくなると共に、吹き出しグリル（25a,35a）における奥行方向の中央部よりも両端部において小さくなるように形成することとした。このように各吹出口（25,35）の吹き出しグリル（25a,35a）を形成することにより、送風ファン（22,32）の回転数を変更することなく、冷凍庫（1）の出入口（2）の上層部及び下層部における空気の出入りを遮断するための空気流れ（F1,F2）の必要風量を確保しつつ、空気流れ（F1,F2）への暖気又は冷気の巻き込みを抑制することができる。従って、冷凍庫（1）の出入口（2）における空気の出入りを効率よく遮断することができる。
【００８４】
《発明の実施形態２》
実施形態２は、実施形態１の構成を一部変更したものである。具体的には、実施形態２のエアカーテン装置（10）では、縦ブレード（53）を省略し、ケーシング（21,31）、横ブレード（51,52,61,62）、整流部材（27,37）及びグリル（24a,25a,34a,35a）の構成が変更されている。以下では、実施形態１と異なる部分についてのみ説明する。
【００８５】
〈ケーシング〉
実施形態２では、各ケーシング（21,31）は、各筒部（23,33）の互いに対向する内側板（23a,33a）が開き戸に構成されている。該各内側板（23a,33a）には、空気の吸込口（24,34）と吹出口（25,35）とがそれぞれ形成されている。なお、吸込口（24,34）と吹出口（25,35）との構成は、実施形態１と同様であるため、説明を省略する。
【００８６】
〈整流部材〉
各送風ファン（22,32）の吹出側には、整流部材（27,37）が取り付けられている。整流部材（27,37）は、ハニカム構造体によって構成され、断面が正六角形状の通風孔からなる空気通路が多数形成されている。多数の空気通路は、整流部材（27,37）を厚さ方向に貫通するように形成されている。また、整流部材（27,37）は、１つの側面から対向する側面に向かって徐々に厚みが薄くなるように形成されている。これにより、整流部材（27,37）の多数の空気通路の通路長さは、１つの側面から対向する側面に向かって徐々に短くなる。
【００８７】
実施形態２では、２つの整流部材（27,37）は、図９に示すように、多数の空気通路が厚さ方向に形成された直方体形状の整流部材を、厚さ方向の中央部において、切断面が両端面に対して傾斜した面となるように切断することによって形成されている。このように形成することにより、１つの側面から対向する側面に向かって厚みが変化する２つの整流部材（27,37）が、無駄なく容易に形成される。
【００８８】
図７に示すように、各整流部材（27,37）は、各ケーシング（21,31）の幅方向において内側板（23a,33a）側ほど、流入側の端面と送風ファン（22,32）との距離が短くなるように傾けられて設けられている。このように各整流部材（27,37）を配置することにより、各整流部材（27,37）の各空気通路は、各送風ファン（22,32）の吹き出し方向に対して傾き、下流側ほど吹出口（25,35）側に近づく。また、各整流部材（27,37）は、各ケーシング（21,31）の幅方向において内側板（23a,33a）側ほど厚みが薄くなるように設けられている。つまり、各整流部材（27,37）は、各ケーシング（21,31）の幅方向において内側板（23a,33a）側（通風空間（10a）側）ほど、空気通路の通路長さが短くなるように設けられている。
【００８９】
このような整流部材（27,37）により、各送風ファン（22,32）から吹き出された空気は、多数の空気通路を通過する際に、旋回成分が除去されて層流化され、該空気通路の軸方向に一様な流れに変換される。つまり、各送風ファン（22,32）から吹き出された空気は、複数の横ブレード（51,61）によって分流される前に、整流部材（27,37）によって整流されると共に、下流側ほど吹出口（25,35）に近づくように流通方向が変更される。
【００９０】
〈横ブレード〉
実施形態２では、各横ブレード（51,52,61,62）は、平板状に形成されている。また、実施形態２では、各ケーシング（21,31）内の送風ファン（22,32）と吹出口（25,35）との間に、５つの横ブレード（51,61）が設けられる一方、各ケーシング（21,31）内の送風ファン（22,32）と吸込口（24,34）との間に５つの横ブレード（52,62）が設けられている。それぞれの設置箇所において、複数の横ブレード（52,62）は、支持機構（55）によって各内部空気流れ（f1,f2）を横断する方向に間隔を空けて配列されている。
【００９１】
具体的には、図１０に示すように、各横ブレード（51,52,61,62）は、各ケーシング（21,31）の奥行方向（図１０では左右方向）に延びる矩形の平板状の本体部（54a）と、該本体部（54a）の奥行方向（図１０では左右方向）の両端部に形成されて支持機構（55）と係合する係合部（54b）とを有している。係合部（54b）は、本体部（54a）の奥行方向の両端部から折り返された突出片によって形成されている。係合部（54b）には、円形の孔（54c）が形成されている。
【００９２】
支持機構（55）は、ボルト部材（56）とナット部材（57）とレール部材（58）とを有している。ボルト部材（56）は、雄ネジ部（56a）と頭部（56b）とを有している。ボルト部材（56）の雄ネジ部（56a）は、各横ブレード（51,52,61,62）の係合部（54b）の円形の孔（54c）に挿通されている。ナット部材（57）は、各係合部（54b）の円形の孔（54c）に挿通されたボルト部材（56）の雄ネジ部（56a）に螺合され、各横ブレード（51,52,61,62）をボルト部材（56）に回動自在に取り付けている。レール部材（58）は、長板を短辺方向に折り曲げられることによって形成され、断面形状がボルト部材（56）の頭部（56b）の外形に沿った形状に形成されている。レール部材（58）は、内部にボルト部材（56）の頭部（56b）が嵌め込まれ、該頭部（56b）を長手方向にスライド自在に保持している。レール部材（58）は、各支持機構（55）に２つずつ設けられ、２つのレール部材（58）は、各ケーシング（21,31）内の奥行方向の一端面と他端面とにおいて対応する位置に取り付けられている。２つのレール部材（58）は、送風ファン（21,31）の吸込側では、各吸込口（24,34）に対して平行に取り付けられ、送風ファン（21,31）の吹出側では、各吹出口（25,35）に近づくほど送風ファン（21,31）に近づくように取り付けられている。
【００９３】
このような構成により、各横ブレード（51,52,61,62）は、支持機構（55）によって、各内部空気流れ（f1,f2）を横断する方向に間隔を空けて配列される。また、各横ブレード（51,52,61,62）は、ボルト部材（56）及びナット部材（57）により、レール部材（58）に対してスライド自在に且つ該レール部材（58）に直交する回転軸（ボルト部材（56）の雄ネジ部（56a）の中心軸）周りに回動自在に取り付けられている。つまり、実施形態２では、各横ブレード（51,52,61,62）は、支持機構（55）によって、角度及び互いの間隔が変更可能となるように支持されている。
【００９４】
実施形態２においても、各送風装置（20,30）のケーシング（21,31）内の送風ファン（22,32）と吹出口（25,35）との間に設けられた複数の横ブレード（51,61）は、分流された複数の流れの流速が送風ファン（22,32）と離れた流れほど速くなるような間隔で設けられている。具体的には、複数の横ブレード（51,61）は、該横ブレード（51,61）によって区画された複数の流路の流入口の流路断面積に対する流出口の流路断面積の比率が、吹出口（25,35）から離れた流路ほど小さくなるような角度及び間隔で配列されている。
【００９５】
一方、本実施形態２では、各送風装置（20,30）のケーシング（21,31）内の送風ファン（22,32）と吸込口（24,34）との間に設けられた複数の横ブレード（52,62）は、等しい角度で等間隔に配列されている。
【００９６】
〈グリル〉
図１１に示すように、実施形態２では、吸い込みグリル（24a,34a）が金網によって形成される一方、吹き出しグリル（25a,35a）は、多数の通風孔が厚さ方向に貫通するように形成された厚みのある板状体によって構成されている。吹き出しグリル（25a,35a）は、多数の通風孔の断面形状が正六角形状に形成され、ハニカム構造に構成されている。また、図１２に示すように、吹き出しグリル（25a,35a）は、奥行方向の中央部が両端部に比べてケーシング（21,31）の内部側に凹むＶ字形状に形成されている。
【００９７】
また、吹き出しグリル（25a,35a）は、それぞれ上下方向に３つに分割されている。３つの分割片（25a1,25a2,25a3,35a1,35a2,35a3）は、それぞれ空気の吹き出し方向が異なるように設けられている。
【００９８】
第１送風装置（20）では、最も下側の第１分割片（25a1）は、通風空間（10a）の奥行方向の中央を通過する垂直面Ｌの両側の部分が、該垂直面Ｌに対して対称な形状となるように設けられている。これにより、第１分割片（25a1）では、上記垂直面Ｌに平行な方向に空気が吹き出される。真中の第２分割片（25a2）は、第１分割片（25a1）に対して室外側へ５度傾くように設けられている。これにより、第２分割片（25a2）は、上記垂直面Ｌに対して、室外側へ５度傾いた方向に空気が吹き出される。最も上側の第３分割片（25a3）は、第１分割片（25a1）に対して室外側へ１０度傾くように設けられている。これにより、第３分割片（25a3）は、上記垂直面Ｌに対して、室外側へ１０度傾いた方向に空気が吹き出される。つまり、第１送風装置（20）の吹き出しグリル（25a）の３つの分割片（25a1,25a2,25a3）は、空気の吹き出し方向が、上方の分割片ほど大きな角度で室外側へ傾くように設けられている。これにより、通風空間（10a）の上下方向の中央から上方の部分では、上方に向かうほど、空気流れ（F1）の上流側における進路が大きな角度で室外側へ傾けられることとなる。
【００９９】
一方、第２送風装置（30）では、最も上側の第１分割片（35a1）は、通風空間（10a）の奥行方向の中央を通過する垂直面Ｌの両側の部分が、該垂直面Ｌに対して対称な形状となるように設けられている。これにより、第１分割片（35a1）では、上記垂直面Ｌに平行な方向に空気が吹き出される。真中の第２分割片（35a2）は、第１分割片（35a1）に対して室内側へ５度傾くように設けられている。これにより、第２分割片（35a2）は、上記垂直面Ｌに対して、室内側へ５度傾いた方向に空気が吹き出される。最も下側の第３分割片（35a3）は、第１分割片（35a1）に対して室内側へ１０度傾くように設けられている。これにより、第３分割片（35a3）は、上記垂直面Ｌに対して、室内側へ１０度傾いた方向に空気が吹き出される。つまり、第２送風装置（30）の吹き出しグリル（35a）の３つの分割片（35a1,35a2,35a3）は、空気の吹き出し方向が、下方の分割片ほど大きな角度で室内側へ傾くように設けられている。これにより、通風空間（10a）の上下方向の中央から下方の部分では、下方に向かうほど、空気流れ（F2）の上流側における進路が大きな角度で室内側へ傾けられることとなる。
【０１００】
−運転動作−
実施形態２においても、第１送風装置（20）及び第２送風装置（30）の間の通風空間（10a）において一方側から他方側へ流れる空気流れ（F1,F2）が形成され、冷凍庫（1）の出入口（2）における空気の出入りが遮断される。
【０１０１】
また、各送風装置（20,30）のケーシング（21,31）内では、吸込口（24,34）から吹出口（25,35）に向かって湾曲して流れる内部空気流れ（f1,f2）が、複数の横ブレード（51,52,61,62）によって複数の流れに分流される。そして、各送風ファン（22,32）の吹出側に設けられた複数の横ブレード（51,61）によって分流された複数の流れは、吹出口（25,35）において送風ファン（22,32）と離れた流れほど流速が速くなる。これにより、図１３に示すように、通風空間（10a）を水平方向に流れる空気流れ（F1,F2）の流速は、通風空間（10a）の上下方向の中央部から上方及び下方に向かってそれぞれ段階的に速くなる。これにより、空気流れ（F1,F2）の風量は通風空間（10a）の上下方向の中央部から上方及び下方に向かってそれぞれ段階的に大きくなる。
【０１０２】
ところで、通風空間（10a）の上下方向の中央部では、室外側の暖気と室内側の冷気の圧力差が等しくなる一方、通風空間（10a）の上層部では、暖気の圧力が高くなって暖気と冷気の圧力差が大きくなり、通風空間（10a）の下層部では、冷気の圧力が高くなって暖気と冷気の圧力差が大きくなる。このような暖気と冷気の圧力差により、通風空間（10a）では、上下方向の中央部から上方へ向かうほど、暖気による横風の風速が速くなり、上下方向の中央部から下方へ向かうほど、冷気による横風の風速が速くなる。そのため、通風空間（10a）の上下方向の中央から上方部分では、上方に向かうほど暖気による横風によって空気流れ（F1）の進路が室内側へ傾き易くなり、通風空間（10a）の上下方向の中央から下方の部分では、下方に向かうほど冷気による横風によって空気流れ（F2）の進路が室外側へ傾き易くなる。
【０１０３】
しかしながら、実施形態２では、上述のように、第１送風装置（20）の吹き出しグリル（25a）は、上下方向に３つに分割され、上方の分割片ほど室外側へ傾くように設けられている。そのため、通風空間（10a）の上下方向の中央から上方の部分では、該通風空間（10a）に吹き出される空気の吹き出し方向が、上方に向かうほど大きな角度で室外側へ傾けられる。つまり、通風空間（10a）の上下方向の中央から上方の部分では、上方へ向かうほど暖気による横風の風速が速くなって空気流れ（F1）の進路が室内側へ傾き易くなるが、上方へ向かうほど空気流れ（F1）の上流側における進路が室外側へ傾けられる。その結果、空気流れ（F1）が室内へ漏れることなく第２送風装置（30）に吸い込まれる。
【０１０４】
また、同様に、第２送風装置（30）の吹き出しグリル（35a）は、上下方向に３つに分割され、下方の分割片ほど室内側へ傾くように設けられている。そのため、通風空間（10a）の上下方向の中央から下方の部分では、該通風空間（10a）に吹き出される空気の吹き出し方向が、下方に向かうほど大きな角度で室内側へ傾けられる。つまり、通風空間（10a）の上下方向の中央から下方の部分では、下方へ向かうほど冷気による横風の風速が速くなって空気流れ（F2）の進路が室外側へ傾き易くなるが、下方へ向かうほど空気流れ（F2）の上流側における進路が室内側へ傾けられる。そのため、空気流れ（F2）が室外へ漏れることなく第１送風装置（20）に吸い込まれる。
【０１０５】
また、２つの空気流れ（F1,F2）は、それぞれ下流側に向かうほど風速が低下して奥行方向に膨らみ、一部が下流側において室内外へ漏れるおそれがある。しかし、実施形態２では、各吹き出しグリル（25a,35a）を、厚さ方向に延びる多数の空気通路が形成されたＶ字形状の多孔板によって構成している。そのため、各空気流れ（F1,F2）は、各吹出口（25,35）から吹き出されて一旦は下流側に向かって奥行方向に窄まり、その後、下流側において奥行方向に膨らむため、漏れることなく対応する送風装置（30,20）に吸い込まれることとなる。
【０１０６】
−実施形態２の効果−
上記実施形態２によれば、各横ブレード（51,52,61,62）を平板状に形成し、これらを各内部空気流れ（f1,f2）を横断する方向に間隔を空けて配列することによって、各内部空気流れ（f1,f2）を流速の異なる複数の流れに振り分けることとした。そのため、内部空気流れ（f1,f2）を流速の異なる複数の流れに振り分ける分流機構を容易に構成することができる。
【０１０７】
ところで、上述のように複数の平板状の横ブレード（51,52,61,62）によって各内部空気流れ（f1,f2）を分流する場合、横ブレード（51,52,61,62）の角度と間隔とを変更することによって、分流される各空気流れの風速を変更することができる。
【０１０８】
上記実施形態２によれば、複数の横ブレード（51,52,61,62）の角度と間隔とが変更可能になるように各横ブレード（51,52,61,62）を支持する支持機構（55）を設けることとした。そのため、複数の横ブレード（51,52,61,62）によって分流される各空気流れの風速を容易に変更することができる。これにより、横ブレード（51,52,61,62）を取り換えることなく、各空気流れの風速を容易に変更することができると共に、横ブレード（51,52,61,62）の取り付け後に、各空気流れの風速を微調整することができる。
【０１０９】
ところで、上述のように、通風空間（10a）では、暖気と冷気の圧力差により、上下方向の中央部から上方へ向かうほど、暖気による横風の風速が速くなり、上下方向の中央部から下方へ向かうほど、冷気による横風の風速が速くなる。
【０１１０】
これに対し、上記実施形態２では、吸込口（24）の上側の吹出口（25）に設けられた吹き出しグリル（25a）を、上下方向に複数に分割すると共に上方の分割片ほど室外側へ傾け、吸込口（34）の下側の吹出口（35）に設けられた吹き出しグリル（35a）を、上下方向に複数に分割すると共に下方の分割片ほど室内側へ傾けることとした。これにより、通風空間（10a）への空気の吹き出し方向を、暖気及び冷気による横風の上下方向における風速分布に応じて、横風の上流側方向に傾けることができる。よって、一対の送風装置（20,30）の間において循環する空気の室内外への漏れを抑制することができると共に、室内外の空気が一対の送風装置（20,30）の間において循環する空気に混入することを抑制することができる。従って、冷気及び暖気の遮断効率を向上させることができる。
【０１１１】
また、通風空間（10a）に形成される２つの空気流れ（F1,F2）は、それぞれ下流側に向かうほど風速が低下して奥行方向に膨らみ、一部が下流側において室内外へ漏れるおそれがある。しかし、実施形態２では、各吹き出しグリル（25a,35a）を、厚さ方向に延びる多数の空気通路が形成されたＶ字形状の多孔板によって構成している。これにより、各空気流れ（F1,F2）は、各吹出口（25,35）から吹き出されて一旦は下流側に向かって奥行方向に窄まる。そのため、各空気流れ（F1,F2）が下流側において奥行方向に膨らんだとしても、吹き出しグリル（25a,35a）を扁平に形成した場合に比べて、奥行方向への膨らみ量を低減することができる。その結果、空気流れ（F1,F2）は、漏れることなく対応する送風装置（30,20）に吸い込まれる。従って、空気流れ（F1,F2）の室内外への漏れを抑制することができ、一対の送風装置（20,30）の間における空気の循環風量の減少を抑制することができる。よって、冷却室（1）の出入口（2）における空気の出入りを確実に遮断することができる。
【０１１２】
ところで、各吹出口（25,35）において送風ファン（22,32）の最も近くから吹き出される空気流れ（以下、単に近接空気流れと称する。）は、他の空気流れに比べて長さが各段に短い。そのため、整流部材（27,37）による整流方向を送風ファン（22,32）の吹き出し方向に等しくすると、近接空気流れを形成するために横ブレード（51,61）のみによって空気流れの方向を急激に変更しなければならず、近接空気流れが横ブレード（51,61）付近に偏流するおそれがあった。近接空気流れが横ブレード（51,61）付近に偏流すると、吹出口（25,35）の近接空気流れの周囲の部分からは空気が吹き出されず、当該部分では近接空気流れによって圧力が低下するために、空気を吹き出すどころか通風空間（10a）の空気を吸い込むおそれがあった。吹出口（25,35）の一部において空気を吸い込んでしまうと、空気流れ（F1,F2）の風量が不十分になるため、冷却室（1）の出入口（2）における空気の出入りを遮断することができなくなる。
【０１１３】
これに対し、実施形態２では、送風ファン（22,32）の吹き出し空気を下流側ほど吹出口（25,35）に近づくように整流する整流部材（27,37）を設けることにより、送風ファン（22,32）の吹き出し空気の流通方向を、整流部材（27,37）と各横ブレード（51,61）とによって二段階に変更することとした。これにより、整流方向と送風ファン（22,32）の吹き出し方向とが等しい場合に比べて、近接空気流れを形成するために横ブレード（51,61）による空気流れの方向転換量を小さくすることができる。よって、近接空気流れの偏流をより確実に抑制することができる。
【０１１４】
ところで、各整流部材（27,37）の幅方向における通風空間（10a）側の空気通路は、他方側の空気通路よりも吹出口（25,35）までの距離が短いため、要求される整流効果の程度が、他方側の空気通路よりも低い。一方、各整流部材（27,37）の幅方向における通風空間（10a）側の空気通路における整流効果の程度が高すぎると、近接空気流れが偏流するおそれが高くなる。
【０１１５】
これに対し、実施形態２では、各整流部材（27,37）を、多数の空気通路の通路長さが、幅方向において通風空間（10a）側の空気通路ほど短くなるように形成することとした。そのため、各整流部材（27,37）による整流効果は、吹出口（25,35）までの距離が短くなる幅方向における通風空間（10a）側ほど低くなる。これにより、多数の空気通路の通路長さを、要求される整流効果の程度に応じた長さに形成することができる。また、各整流部材（27,37）の幅方向における通風空間（10a）側の空気通路における整流効果を低減することにより、近接空気流れの偏流を一層抑制することができる。
【０１１６】
《その他の実施形態》
上記実施形態については、以下のような構成としてもよい。
【０１１７】
上記実施形態では、各ケーシング（21,31）において送風ファン（22,32）の吸込口（24,34）側に横ブレード（51,61）を設ける一方、吹出口（25,35）側に横ブレード（52,62）を設けることとしていたが、吹出口（25,35）側の横ブレード（51,61）のみを設けることとしてもよい。このような形態であっても、横ブレード（51,61）によって内部空気流れ（f1,f2）を振り分けて冷凍庫（1）の出入口（2）を横断する空気流れ（F1,F2）に対して上下方向の速度分布を形成することにより、送風ファン（22,32）の回転数を増大させることなく、庫内外の圧力差が大きくなる出入口（2）の上層部及び下層部における空気の出入りを遮断するための必要風量を確保することができる。よって、冷却室（1）の出入口（2）における空気の出入りを効率よく遮断することができる。
【０１１８】
また、上記実施形態では、各ケーシング（21,31）において吹出口（25,35）付近にのみ縦ブレード（53,63）を設けることとしていたが、上記実施形態の横ブレード（52,62）のように、吸込口（24,34）付近に同様の縦ブレードを設けることとしてもよい。
【０１１９】
また、各ケーシング（21,31）内の送風ファン（22,32）の吹出側に設けられる横ブレード（51,61）と吸込側に設けられる横ブレード（52,62）の数は上記実施形態のものに限られない。同様に、各ケーシング（21,31）内の送風ファン（22,32）の吹出側に設けられる縦ブレード（53,63）の数も上記実施形態のものに限られない。
【０１２０】
また、上記実施形態では、各送風ファン（22,32）の高さ位置を異ならせていたが、同じ高さ位置に設けることとしてもよい。
【０１２１】
また、各グリル（24a,25a,34a,35a）は、多数の通風孔が形成されたものであればよく、通風孔の形状は正六角形状に限られない。単に四角格子状に形成されていてもよい。
【０１２２】
また、各吹き出しグリル（25a,35a）は、各吸い込みグリル（24a,34a）のように、多数の通風孔が全て等しい外径となるように形成されていてもよい。このような場合であっても、横ブレード（51,61）を設けることによって１つの送風ファン（22,32）で該送風ファン（22,32）の回転数を増大させることなく通風空間（10a）の上層部と下層部おける空気流れ（F1,F2）の風量を増大させることができる。また、縦ブレード（53,63）を設けることによって１つの送風ファン（22,32）でその回転数を変更することなく空気流れ（F1,F2）の奥行方向の両端部の流速を中央部に比べて低減することができる。
【０１２３】
なお、以上の実施形態は、本質的に好ましい例示であって、本発明、その適用物、あるいはその用途の範囲を制限することを意図するものではない。
【産業上の利用可能性】
【０１２４】
以上説明したように、本発明は、冷凍庫や冷蔵庫等の冷却室の出入口に設けられて空気の出入りを遮断するための空気流れを形成する冷却室用エアカーテン装置について有用である。
【符号の説明】
【０１２５】
１                    冷凍庫（冷却室）
２                    出入口
１０                    エアカーテン装置
１０ａ                  通風空間
２０                    第１送風装置（送風装置）
３０                    第２送風装置（送風装置）
２１、３１              ケーシング
２２、３２              送風ファン
２４、３４              吸込口
２５、３５              吹出口
２４ａ、３４ａ          吸い込みグリル（多孔板）
２５ａ、３５ａ          吹き出しグリル（多孔板）
２５ａ１、３５ａ１      第１分割片 
２５ａ２、３５ａ２      第２分割片 
２５ａ３、３５ａ３      第３分割片
５１、５２、６１、６２  横ブレード（第１分流板）
５３、６３              縦ブレード（第２分流板）
５５                    支持機構
５６                    ボルト部材（取付部材）
５７                    ナット部材（取付部材）
５８                    レール部材
【図１】
0005915416.tif 000002
【図２】
0005915416.tif 000003
【図３】
0005915416.tif 000004
【図４】
0005915416.tif 000005
【図５】
0005915416.tif 000006
【図６】
0005915416.tif 000007
【図７】
0005915416.tif 000008
【図８】
0005915416.tif 000009
【図９】
0005915416.tif 000010
【図１０】
0005915416.tif 000011
【図１１】
0005915416.tif 000012
【図１２】
0005915416.tif 000013
【図１３】
0005915416.tif 000014